(57)【要約】【課題】発電効率を向上することができる燃料電池モジュールおよび燃料電池装置を提供する。【解決手段】収納容器２の発電室内に、燃料電池セル３の複数個をマニホールド４に立設してなるセルスタック装置１０と、燃料ガスを生成するための気化部７と改質部８とを備えてなる改質器６を収納してなり、収納容器２は、内壁１１と外壁１２とを有する二重壁構造で、内壁１１に燃料電池セル３の配列方向に沿った側面側より酸素含有ガスを導入するための酸素含有ガス導入部材１４を備え、酸素含有ガス導入部材１４の内部に、酸素含有ガス導入部材１４内に流れた酸素含有ガスを、気化部７と対向する部位に偏流させるための偏流部材２０を備えることから、セルスタック５の温度分布を均一に近づけることができ、発電効率を向上させることができる。【選択図】図３
2010080152.tif 000002
【特許請求の範囲】
【請求項１】
収納容器内に設けられた発電室内に、内部にガスを流通させるためのガス流路を有する柱状の燃料電池セルを複数個立設して電気的に直列に接続してなるセルスタックと、該セルスタックを構成する前記燃料電池セルを固定するとともに、前記燃料電池セルに燃料ガスを供給するマニホールドとを具備するセルスタック装置と、該セルスタック装置の上方に配置され、前記燃料電池セルに供給する燃料ガスを生成するための気化部および改質部を備える改質器とを収納してなり、前記収納容器は、内壁と外壁とを有する二重壁構造で、前記内壁と前記外壁との間を酸素含有ガス流路とし、前記燃料電池セルの配列方向に沿った前記内壁と、該内壁の内側に所定間隔をあけて設けられた排ガス用内壁との間を、前記発電室内の排ガスが流れる排ガス流路とするとともに、前記内壁に、前記燃料電池セルの配列方向における前記セルスタックの幅に対応した幅を有し、前記酸素含有ガス流路につながって前記燃料電池セルの配列方向に沿った側面側より前記燃料電池セルスタックに酸素含有ガスを導入するための酸素含有ガス導入部材を備えてなる燃料電池モジュールにおいて、前記酸素含有ガス導入部材の内部に、前記酸素含有ガス導入部材内に流れた酸素含有ガスを、前記気化部と対向する部位に偏流させるための偏流部材を備えることを特徴とする燃料電池モジュール。
【請求項２】
前記偏流部材は、前記酸素含有ガス導入部材の内部を上下に区画するように配置された板状体であることを特徴とする請求項１に記載の燃料電池モジュール。
【請求項３】
前記酸素含有ガス導入部材が、前記発電室内に垂下するように配置されるとともに、前記偏流部材が、前記酸素含有ガス導入部材の上部側に配置されていることを特徴とする請求項２に記載の燃料電池モジュール。
【請求項４】
請求項１乃至請求項３のうちいずれかに記載の燃料電池モジュールを外装ケース内に収納してなることを特徴とする燃料電池装置。
【発明の詳細な説明】
【技術分野】
【０００１】
本発明は、収納容器内に複数個の柱状の燃料電池セルを収納してなる燃料電池モジュールおよびそれを具備する燃料電池装置に関する。
【背景技術】
【０００２】
近年、次世代エネルギーとして、水素含有ガス（燃料ガス）と酸素含有ガス（空気等）とを用いて電力を得ることができる燃料電池セルを複数個立設し電気的に直列に接続してなるセルスタックと、セルスタックを構成する燃料電池セルを固定するとともに、燃料電池セルに燃料ガスを供給するマニホールドとを有するセルスタック装置を、収納容器内に収納してなる燃料電池モジュールや燃料電池モジュールを収納してなる燃料電池装置が種々提案されている。
【０００３】
そのような燃料電池モジュールとしては、例えば、直方体状の収納容器内に設けられた発電室内に、燃料電池セルを複数個並設して電気的に直列に接続してマニホールドに固定してなるセルスタック装置を収納してなる燃料電池モジュールが提案されている（例えば、特許文献１参照）。そして、上記特許文献１に記載の燃料電池モジュールにおいては、直方体の収納容器が外壁と内壁とで構成されており、その外壁と内壁との間を酸素含有ガス流路とするとともに、酸素含有ガス流路につながって、燃料電池セルに酸素含有ガスを供給するための酸素含有ガス導入部材が発電室内に垂下するように設けられている。またセルスタック装置（燃料電池セル）の上方には、燃料電池セルに供給する燃料ガスを生成するための気化部と改質部とを備える改質器が配置されている。
【特許文献１】特開２００７−５９３７７号公報
【発明の開示】
【発明が解決しようとする課題】
【０００４】
ここで、改質器（改質部）にて、燃料電池セルに供給する燃料ガスを効率よく生成することができる水蒸気改質を行うにあたっては、改質部に備える気化部にて水を気化させる必要がある。
【０００５】
しかしながら、気化部での水の気化は吸熱反応であることから、気化部で水を気化させることに伴い、気化部の周囲の温度が低下し、特に気化部の下方に位置する燃料電池セルの温度が低下するおそれがある。それに伴い、燃料電池セルの配列方向における温度分布が不均一となり、セルスタック全体としての温度分布が不均一となるおそれがある。
【０００６】
そして、セルスタックの温度が不均一な温度分布となる場合においては、セルスタックを構成する各燃料電池セルにマニホールドから供給される燃料ガスの流れにばらつきが生じ、セルスタック（燃料電池セル）の発電量が低下する、またはセルスタック（セルスタックを構成する燃料電池セル）が破損するといったおそれがあった。
【０００７】
それゆえ本発明は、セルスタック全体としての温度分布を均一に近づけることが可能な燃料電池モジュールおよびそれを具備する燃料電池装置を提供することを目的とする。
【課題を解決するための手段】
【０００８】
本発明の燃料電池モジュールは、収納容器内に設けられた発電室内に、内部にガスを流通させるためのガス流路を有する柱状の燃料電池セルを複数個立設して電気的に直列に接続してなるセルスタックと、該セルスタックを構成する前記燃料電池セルを固定するとともに、前記燃料電池セルに燃料ガスを供給するマニホールドとを具備するセルスタック装置と、該セルスタック装置の上方に配置され、前記燃料電池セルに供給する燃料ガスを生成するための気化部および改質部を備える改質器とを収納してなり、前記収納容器は、内壁と外壁とを有する二重壁構造で、前記内壁と前記外壁との間を酸素含有ガス流路とし、前記燃料電池セルの配列方向に沿った前記内壁と、該内壁の内側に所定間隔をあけて設けられた排ガス用内壁との間を、前記発電室内の排ガスが流れる排ガス流路とするとともに、前記内壁に、前記燃料電池セルの配列方向における前記セルスタックの幅に対応した幅を有し、前記酸素含有ガス流路につながって前記燃料電池セルの配列方向に沿った側面側より前記燃料電池セルスタックに酸素含有ガスを導入するための酸素含有ガス導入部材を備えてなる燃料電池モジュールにおいて、前記酸素含有ガス導入部材の内部に、前記酸素含有ガス導入部材内に流れた酸素含有ガスを、前記気化部と対向する部位に偏流させるための偏流部材を備えることを特徴とする。
【０００９】
このような燃料電池モジュールにおいては、内壁と外壁との間の酸素含有ガス流路内を流れる酸素含有ガスと、内壁と内壁の内側に所定間隔をあけて設けられた排ガス流路内を流れる排ガスとで熱交換が行われ、温度の上昇した酸素含有ガスが、内壁とつながる酸素含有ガス導入部材に流れる。
【００１０】
そして、酸素含有ガス導入部材に流れた温度の上昇した酸素含有ガスは、偏流部材により気化部と対向する部位に流れることから、気化部の周囲の温度を上昇させることができ、それに伴い、気化部の下方に位置する燃料電池セルの温度を上昇させることができる。
【００１１】
それにより、燃料電池セルの配列方向における温度分布、すなわちセルスタック全体としての温度分布を均一に近づけることができる。それにより、セルスタックの発電量が低下することを抑制でき、セルスタックの発電効率を向上することができる。さらには、セルスタックが破損することを抑制することができる。
【００１２】
また、本発明の燃料電池モジュールは、前記偏流部材は、前記酸素含有ガス導入部材の内部を上下に区画するように配置された板状体であることが好ましい。
【００１３】
このような燃料電池モジュールにおいては、偏流部材が、酸素含有ガス導入部材の内部を上下に区画するように配置された板状体であることから、酸素含有ガス導入部材に導入された酸素含有ガスは、効率よく気化部と対向する部位に流れることとなる。
【００１４】
それにより、気化部の周囲の温度を上昇させることができ、それに伴い、気化部の下方に位置する燃料電池セルの温度を上昇させることができる。
【００１５】
また、本発明の燃料電池モジュールは、前記酸素含有ガス導入部材が、前記発電室内に垂下するように配置されるとともに、前記偏流部材が、前記酸素含有ガス導入部材の上部側に配置されていることが好ましい。
【００１６】
このような燃料電池モジュールにおいては、発電室内に垂下されるように配置された酸素含有ガス導入部材の上部側に偏流部材が配置されていることから、酸素含有ガス導入部材に導入された酸素含有ガスが、効率よく気化部と対向する部位に流れることとなる。
【００１７】
それにより、気化部の周囲の温度を上昇させることができ、それに伴い、気化部の下方に位置する燃料電池セルの温度を上昇させることができる。
【００１８】
本発明の燃料電池装置は、外装ケース内に、上記のうちいずれかに記載の燃料電池モジュールを収納してなることを特徴とする。
【００１９】
このような燃料電池装置においては、上述したうちいずれかの燃料電池モジュールを収納ケース内に収納してなることから、発電効率が向上するとともに、信頼性が向上した燃料電池装置とすることができる。
【発明の効果】
【００２０】
本発明の燃料電池モジュールは、収納容器内に設けられた発電室内に、内部にガスを流通させるためのガス流路を有する柱状の燃料電池セルを複数個立設して電気的に直列に接続してなるセルスタックと、該セルスタックを構成する前記燃料電池セルを固定するとともに、前記燃料電池セルに燃料ガスを供給するマニホールドとを具備するセルスタック装置と、該セルスタック装置の上方に配置され、前記燃料電池セルに供給する燃料ガスを生成するための気化部および改質部を備える改質器とを収納してなり、前記収納容器は、内壁と外壁とを有する二重壁構造で、前記内壁と前記外壁との間を酸素含有ガス流路とし、前記燃料電池セルの配列方向に沿った前記内壁と、該内壁の内側に所定間隔をあけて設けられた排ガス用内壁との間を、前記発電室内の排ガスが流れる排ガス流路とするとともに、前記内壁に、前記燃料電池セルの配列方向における前記セルスタックの幅に対応した幅を有し、前記酸素含有ガス流路につながって前記燃料電池セルの配列方向に沿った側面側より前記燃料電池セルスタックに酸素含有ガスを導入するための酸素含有ガス導入部材を備えてなる燃料電池モジュールにおいて、前記酸素含有ガス導入部材の内部に、前記酸素含有ガス導入部材内に流れた酸素含有ガスを、前記気化部と対向する部位に偏流させるための偏流部材を備えることから、セルスタック全体としての温度分布を均一に近づけることができ、セルスタックの発電効率を向上することができる。さらには、セルスタックが破損することを抑制することができる。
【発明を実施するための最良の形態】
【００２１】
図１は、本発明の燃料電池モジュール１（以下、モジュールという場合がある。）の一例を示す外観斜視図である。なお、以降の図において同一の部材については同一の番号を付するものとする。
【００２２】
モジュール１は、内部にガス流路を有する柱状の燃料電池セル３の複数個を立設させた状態で所定間隔をおいて配列し、隣接する燃料電池セル３間に集電部材（図示せず）を介して電気的に直列に接続してセルスタック５を構成するとともに、燃料電池セル３の下端をガラスシール材等の絶縁性接合材（図示せず）で、燃料電池セル３に水素含有ガス（燃料ガス）を供給するマニホールド４に固定してなるセルスタック装置１０を、直方体状の収納容器２の発電室内に収納して構成されている。なお、収納容器２の構成は、図２を用いて説明するものとする。
【００２３】
なお図１においては、燃料電池セル３として、内部を水素含有ガス（燃料ガス）が長手方向に流通するガス流路を有する中空平板型で、ガス流路を有する支持体の表面に、燃料側電極層、固体電解質層および酸素側電極層を順に積層してなる固体酸化物形燃料電池セル３を例示している。
【００２４】
また図１においては、燃料電池セル３の発電で使用する燃料ガスを得るために、天然ガスや灯油等の原燃料を改質して燃料ガスを生成するための改質器６をセルスタック５（燃料電池セル３）の上方に配置している。なお、改質器６は、効率のよい改質反応である水蒸気改質を行うことができる構造とすることが好ましく、水を気化させるための気化部７と、原燃料を燃料ガスに改質するための改質触媒（図示せず）が配置された改質部８とを備えている。そして、改質器６で生成された燃料ガスは、ガス流通管９によりマニホールド４に供給され、マニホールド４を介して燃料電池セル３の内部に設けられたガス流路に供給される。なお、セルスタック装置１０を改質器６を含むものとしてもよい。
【００２５】
また、図１においては、収納容器２の一部（前後面）を取り外し、内部に収納されるセルスタック装置１０を後方に取り出した状態を示している。ここで、図１に示したモジュール１においては、セルスタック装置１０を、収納容器２内にスライドして収納することが可能である。
【００２６】
図２は、図１で示すモジュール１の断面図である。モジュール１を構成する収納容器２は、内壁１１と外壁１２とを有する二重構造で、外壁１２により収納容器２の外枠が形成されるとともに、内壁１１によりセルスタック５（セルスタック装置１０）を収納する発電室１３が形成されている。さらにモジュール１（収納容器２）においては、内壁１１と外壁１２との間を、燃料電池セル３に導入する酸素含有ガスが流通する酸素含有ガス流路としている。
【００２７】
ここで内壁１１に、内壁１１の上面よりセルスタック５の側面側にまで延び、セルスタック５の配列方向における幅に対応する幅を有し、内壁１１と外壁１２とで形成される酸素含有ガス流路に通じて、セルスタック５に酸素含有ガスを導入するための酸素含有ガス導入部材１４が備えられている。なお反応ガス導入部材１４の構成によっては、酸素含有ガス導入部材１４を内壁１１よりセルスタック５の側面側までに延びる構成としてもよい。また、酸素含有ガス導入部材１４の下端部側（マニホールド４に立設した燃料電池セル３の下端部側と対向する領域）に、燃料電池セル３に酸素含有ガスを供給するための酸素含有ガス導入口１５が設けられている。
【００２８】
図２においては、酸素含有ガス導入部材１４が、収納容器２の内部に横並びに並置された２つのセルスタック５（セルスタック装置１０）間に位置するように配置されているが、セルスタック５（セルスタック装置１０）の数により、例えば酸素含有ガス導入部材１４をセルスタック５の両側面側から挟み込むように配置してもよい。具体的には、セルスタック５（セルスタック装置１０）を１つだけ収納する場合には、酸素含有ガス導入部材１４を２つ設け、セルスタック５を両側面側から挟み込むように配置することができる。なお、酸素含有ガス導入部材１４について後に詳述する。
【００２９】
また発電室１３内には、モジュール１内の熱が極端に放散され、燃料電池セル３（セルスタック５）の温度が低下して発電量が低減しないよう、モジュール１内の温度を高温に維持するための断熱材１７が適宜設けられている。
【００３０】
断熱材１７は、セルスタック５の近傍に配置することが好ましく、特には、燃料電池セル３の配列方向に沿ってセルスタック５の側面側に配置するとともに、セルスタック５の側面の外形と同等またはそれ以上の大きさを有する断熱材１７を配置することが好ましい。なお、好ましくは、断熱材１７はセルスタック５の両側面側に配置することが好ましい。それにより、セルスタック５の温度が低下することを効果的に抑制できる。さらには、酸素含有ガス導入部材１４より供給される酸素含有ガスが、セルスタック５の側面側より排出されることを抑制でき、セルスタック５を構成する燃料電池セル３間の酸素含有ガスの流れを促進することができる。
【００３１】
なお、酸素含有ガス導入部材１４に近接して配置する断熱材１７の下端側には、酸素含有ガスを燃料電池セル３の下端部側に供給するための切り欠き部を有していることが好ましい。
【００３２】
また、燃料電池セル３の配列方向に沿った内壁１１の内側に、排ガス用内壁１８が設けられおり、内壁１１と排ガス用内壁１８との間が、発電室１３内の排ガスが上方から下方に向けて流れる排ガス流路とされている。なお、排ガス流路は、収納容器２の底部に設けられた排気孔１９と通じている。
【００３３】
図３は、酸素含有ガス導入部材１４を抜粋して示したものであり、（ａ）は外観斜視図、（ｂ）は一部を取り外して示す分解斜視図である。
【００３４】
図１に示した気化部７と改質部８を備える改質器６を用いて効率のよい改質反応である水蒸気改質を行うために、気化部７にて水を気化させる場合、水の気化が吸熱反応であることから、気化部７の周囲の温度が低下し、特に気化部７の下方に位置する燃料電池セル３の温度が低下するおそれがある。そして、気化部７の下方に位置する燃料電池セル３の温度が低下することにより、セルスタック全体の温度が不均一な温度分布となることに伴い、燃料ガスの流れにバラツキが生じ、セルスタックの発電量が低下するおそれがある。
【００３５】
それゆえ、本発明のモジュール１においては、酸素含有ガス導入部材１４の内部に、酸素含有ガス導入部材１４内に流れた酸素含有ガスを、気化部７と対向する部位に偏流させるための偏流部材２０を備えている。なお、図３においては、向かって右側が気化部７側である。
【００３６】
ここで、酸素含有ガスは、内壁１１と外壁１２との間を下方から上方へ流れる間に、隣接する内壁１１と排ガス用内壁１８との間を上方から下方へ流れる発電室１３内の排ガスと熱交換されて、温度が上昇した後、酸素含有ガス導入部材１４内に供給される。そして、酸素含有ガス導入部材１４内に供給された酸素含有ガスは、偏流部材２０により気化部７と対向する部位に流れた後に、酸素含有ガス導入口１５から燃料電池セル３に供給される。
【００３７】
すなわち、温度の高い酸素含有ガスが気化部７と対向する部位に流れることから、気化部７の周囲の温度を上昇させることができ、それに伴い、気化部７の下方に位置する燃料電池セル３の温度を上昇させることができる。
【００３８】
それにより、燃料電池セル３の配列方向における温度分布、すなわちセルスタック５全体の温度分布を均一に近づけることができることから、セルスタック５の発電量が低下することを抑制でき、セルスタック５の発電効率を向上することができる。さらには、セルスタック５が破損することを抑制することができる。
【００３９】
ここで、偏流部材２０としては、内壁１１と外壁１２との間を流れて酸素含有ガス導入部材１４に供給される酸素含有ガスの全量が、気化部７と対向する部位に流れる構造とすることが好ましい。
【００４０】
それゆえ、偏流部材２０は、酸素含有ガス導入部材１４の内部を上下に仕切るように配置された板状体であることが好ましく、具体的には、偏流部材２０は、酸素含有ガス導入部材１４の燃料電池セル３の配列方向に沿った断面における、燃料電池セル３の配列方向と直交する方向の幅に対応する幅を有する板状体とすることが好ましい。すなわち、酸素含有ガス導入部材１４の内径と同じ幅を有する板状体とすることが好ましい。
【００４１】
それにより、内壁１１と外壁１２との間を流れて酸素含有ガス導入部材１４に供給される酸素含有ガスの全量が、気化部７と対向する部位に効率よく流れることとなり、気化部７の周囲の温度を効率よく上昇させることができる。なお、図３（ｂ）において示した偏流部材２０は、酸素含有ガス導入部材１４の内径と同じ幅を有する板状体を示している。
【００４２】
また、偏流部材２０の燃料電池セル３の配列方向に沿った長さは、気化部７の大きさや酸素含有ガス導入部材１４の大きさ等に基づき適宜設定することができ、例えば、酸素含有ガス導入部材１４の一端部から気化部７の一端部（燃料電池セル３の配列方向における中央部側の一端部）までの長さとすることができる。なお、気化部７の大きさによっては、気化部７の下方に位置する部位までの長さとすることもできる。
【００４３】
また、図１および図２に示したように、酸素含有ガス導入部材１４が、内壁１１とつながって発電室１３内に垂下するように配置されている場合には、偏流部材２０を酸素含有ガス導入部材１４の上部側に配置することが好ましい。それにより、温度の高い酸素含有ガスを気化部７と対向する部位に向けて流すことができ、効率よく気化部７の周囲の温度を上昇させることができる。それに伴い、気化部７の下方に位置する燃料電池セル３の温度を上昇させることができ、セルスタック５全体の温度分布を均一に近づけることができることから、セルスタック５の発電効率を向上することができる。さらには、セルスタック５が破損することを抑制することができる。
【００４４】
なお、酸素含有ガス導入部材１４に設けられる酸素含有ガス導入口１５は、燃料電池セル３の配列方向に沿って、所定の間隔をあけて複数個設けることが好ましい。なお、図３においては、燃料電池セル３の配列方向における中央部側における酸素含有ガス導入口１５の間隔を狭くし、燃料電池セル３の配列方向における端部側における酸素含有ガス導入口１５の間隔を広くした例を示している。なお、燃料電池セル３の配列方向に沿って、一定の間隔とすることもできる。
【００４５】
図４は、本発明の燃料電池装置２６の一例を示す分解斜視図である。なお、図４においては一部構成を省略して示している。
【００４６】
図４に示す燃料電池装置２１は、支柱２２と外装板２３から構成される外装ケース内を仕切板２４により上下に区画し、その上方側を上述した燃料電池モジュール１を収納するモジュール収納室２５とし、下方側を燃料電池モジュール１を動作させるための補機類を収納する補機収納室２６として構成されている。なお、補機収納室２６に収納する補機類を省略して示している。
【００４７】
また、仕切板２４は、補機収納室２６の空気をモジュール収納室２５側に流すための空気流通口２７が設けられており、モジュール収納室２５を構成する外装板２３の一部に、モジュール収納室２５内の空気を排気するための排気口２８が設けられている。
【００４８】
このような燃料電池装置２１においては、上述したように、発電効率が向上した燃料電池モジュール１をモジュール収納室２５内に収納して構成されることにより、発電効率の向上した燃料電池装置２１とすることができる。
【００４９】
以上、本発明について詳細に説明したが、本発明は上述の実施の形態に限定されるものではなく、本発明の要旨を逸脱しない範囲内において、種々の変更、改良等が可能である。
【００５０】
たとえば、偏流部材２０により気化部７と対向する部位に流れた酸素含有ガスを、酸素含有ガス導入口１５より燃料電池セル３に供給するにあたり、酸素含有ガス導入口１５の大きさが大きい場合に、気化部７と対向する部位の酸素含有ガス導入口１５より多くの量の酸素含有ガスが供給され、気化部７から遠い部位に位置する酸素含有ガス導入口１５からは少ない量の酸素含有ガスが供給されるおそれがある。
【００５１】
それゆえ、例えば偏流部材２０の下方に、燃料電池セル３の長手方向に沿った柱状の部材の複数個を、気化部７側より一端部側に向けて、その部材の配置間隔を順に広げるようにして配置することができる。それにより、気化部７側は配置間隔が狭く、一端部側は配置間隔が広くなることから、各酸素含有ガス導入口１５から効率よく酸素含有ガスが燃料電池セル３に供給されることとなる。
【００５２】
また、例えば偏流部材２０の下方に、燃料電池セル３の配列方向に沿って酸素含有ガス導入部材内を上下方向に仕切るための板状（柱状）の部材を配置し、その板状の部材に、上方の空間を流れる酸素含有ガスを下方の空間（酸素含有ガス導入口１５側）に流すための複数のスリットを設けることができる。なおこの際、気化部７側のスリットの大きさ（径）を小さくし、気化部７から遠い部位に位置するスリットの大きさ（径）を大きくすることや、スリットの大きさ（径）を同一として、スリットの配置間隔を気化部７側より一端部側に向けて、その部材の配置間隔を順に広げるようにして配置することができる。それにより、各酸素含有ガス導入口１５から効率よく酸素含有ガスが燃料電池セル３に供給されることとなる。
【図面の簡単な説明】
【００５３】
【図１】本発明の燃料電池モジュールの一例を示す外観斜視図である。
【図２】図１に示した燃料電池モジュールの断面図である。
【図３】酸素含有ガス導入部材を抜粋して示しており、（ａ）は外観斜視図、（ｂ）は一部を取り外して示す分解斜視図である。
【図４】本発明の燃料電池装置の一例を示す分解斜視図である。
【符号の説明】
【００５４】
１：燃料電池モジュール
３：燃料電池セル
４：マニホールド
５：セルスタック
１１：内壁
１２：外壁
１４：酸素含有ガス導入部材
１８：排ガス用内壁
２０：偏流部材
２１：燃料電池装置
【図１】
2010080152.tif 000003
【図２】
2010080152.tif 000004
【図３】
2010080152.tif 000005
【図４】
2010080152.tif 000006